(57)【要約】【課題】クレジットカード番号や属性情報を受け付けるＷｅｂページのサーバにおいて安全性の高いクレジットカード番号の管理機能を備えたクレジットカード情報管理装置を提供することを目的としている。【解決手段】識別番号発番部１２がクレジットカード使用者から受信したクレジットカード番号情報および属性情報に共通する識別番号を発番し、送受信部１１が識別番号とクレジット番号情報を暗号化した第１の暗号化情報と、識別番号と属性情報を暗号化した第２の暗号化情報とをクレジットカード会社のサーバに対して送信する。そして、これに応じて受信した、暗号化された識別番号と審査結果情報とを暗号化・復号化部処理部１４が復号化し、情報記録部１３がその審査結果情報を識別番号に関連付けて会員管理データベース１５に記録する。【選択図】　図１
2004086599.tif 000002
【特許請求の範囲】
【請求項１】
クレジットカード使用者からクレジットカード番号情報および前記クレジットカード使用者の属性情報を受信する受信手段と、
前記クレジットカード番号情報および前記属性情報に共通する識別番号を発番する識別番号発番手段と、
前記属性情報と前記識別番号を対応付けて記録するデータベースと、
前記識別番号と前記クレジットカード番号情報とを第１の鍵で暗号化して第１の暗号化情報を作成する第１の暗号化手段と、
前記識別番号と前記属性情報とを第２の鍵で暗号化して第２の暗号化情報を作成する第２の暗号化手段と、
前記第１の暗号化情報及び第２の暗号化情報を別々に記憶する記憶手段と、
前記第１の暗号化情報および前記第２の暗号化情報をクレジットカード会社のサーバに対して送信する審査情報送信手段と、
これに応じて、暗号化された前記識別番号と審査結果情報とを、前記クレジットカード会社のサーバから受信して第３の鍵で復号化する復号化手段と、
前記審査結果情報を前記識別番号に関連付けて前記データベースに記録する審査結果情報記録手段と、
を備える事を特徴とするクレジットカード情報管理装置。
【請求項２】
クレジットカード使用者の属性情報と識別番号を記録するデータベースを備えたクレジットカード情報管理装置におけるクレジットカード情報管理方法であって、
前記クレジットカード使用者からクレジットカード番号情報および前記クレジットカード使用者の属性情報を受信する受信過程と、
前記クレジットカード番号情報および前記属性情報に共通する識別番号を発番する識別番号発番過程と、
前記識別番号と前記クレジットカード番号情報とを第１の鍵で暗号化して第１の暗号化情報を作成する第１の暗号化過程と、
前記識別番号と前記属性情報とを第２の鍵で暗号化して第２の暗号化情報を作成する第２の暗号化過程と、
前記第１の暗号化情報及び第２の暗号化情報を別々に記憶する記憶過程と、
前記第１の暗号化情報および前記第２の暗号化情報をクレジットカード会社のサーバに対して送信する審査情報送信過程と、
これに応じて、暗号化された前記識別番号と審査結果情報とを、前記クレジットカード会社のサーバから受信して第３の鍵で復号化する復号化過程と、
前記審査結果情報を前記識別番号に関連付けて前記データベースに記録する審査結果情報記録過程と、
を備える事を特徴とするクレジットカード情報管理方法。
【請求項３】
クレジットカード使用者の属性情報と識別番号を記録するデータベースを備えたクレジットカード情報管理装置のコンピュータに実行させるプログラムであって、
前記クレジットカード使用者からクレジットカード番号情報および前記クレジットカード使用者の属性情報を受信する受信過程と、
前記クレジットカード番号情報および前記属性情報に共通する識別番号を発番する識別番号発番過程と、
前記識別番号と前記クレジットカード番号情報とを第１の鍵で暗号化して第１の暗号化情報を作成する第１の暗号化過程と、
前記識別番号と前記属性情報とを第２の鍵で暗号化して第２の暗号化情報を作成する第２の暗号化過程と、
前記第１の暗号化情報及び第２の暗号化情報を別々に記憶する記憶過程と、
前記第１の暗号化情報および前記第２の暗号化情報をクレジットカード会社のサーバに対して送信する審査情報送信過程と、
これに応じて、暗号化された前記識別番号と審査結果情報とを、前記クレジットカード会社のサーバから受信して第３の鍵で復号化する復号化過程と、
前記審査結果情報を前記識別番号に関連付けて前記データベースに記録する審査結果情報記録過程と、
をコンピュータに実行させるプログラム。
【請求項４】
識別番号とクレジットカード使用者のクレジットカード番号情報を第１の暗号で暗号化した第１の暗号化情報と、前記識別番号と前記クレジットカード使用者の属性情報を第２の暗号で暗号化した第２の暗号化情報をクレジットカード情報管理装置より受信する受信手段と、
前記第１の暗号化情報と前記第２の暗号化情報を復号化する復号化手段と、
復号化された前記クレジットカード番号情報と前記属性情報とに基づいて審査処理を行い、審査結果情報を生成する審査処理手段と、
前記識別番号と前記審査結果情報とを暗号化する暗号化手段と、
前記暗号化手段により暗号化された前記識別番号と前記審査結果情報とを前記クレジットカード情報管理装置に送信する送信手段と、
を備えることを特徴とするクレジットカード審査処理装置。
【発明の詳細な説明】
【０００１】
【発明の属する技術分野】
この発明は、コンピュータシステムに係り、特に、クレジットカード情報管理装置および管理方法並びにそのプログラムに関するものである。
【０００２】
【従来の技術】
従来、インターネットなどの通信ネットワーク上でクレジットカードの審査を必要とする各種サービスを提供する場合には、Ｗｅｂインターフェースを介して、データベースサーバがクレジットカード使用者のクレジットカード番号や属性情報（氏名や住所や電話番号など）を受け付ける方法がとられている。そして上記データベースサーバがクジットカード番号や属性情報を保持している。
【０００３】
【発明が解決しようとする課題】
しかしながら、上述のデータベースサーバ上でクレジットカード番号を保持する方法は、Ｗｅｂインターフェースを提供するＷｅｂサーバとは別にデータベースサーバを構築しなければならないので、安全ではあるがコストがかかるという問題がある。よって、できるだけ安価に上述の従来技術の各種サービスを提供できるＷｅｂサイトを構築することを考えると、例えば、レンタルサーバなどを用いることが好ましい。しかし、レンタルサーバは通常Ｗｅｂインターフェースを提供するＷｅｂサーバのみで構成されており、その背後にデータベースサーバを備えていないので、通常の方法ではクレジットカード番号を扱うサービスを提供することは困難であった。
そこで、この発明は、Ｗｅｂインターフェースを提供するＷｅｂサーバがデータベースサーバを備えていなくとも、クレジットカード番号や属性情報を受け付けるＷｅｂサーバにおいて安全性の高いクレジットカード番号の管理機能を備えた、クレジットカード情報管理装置および管理方法並びにそのプログラムを提供することを目的としている。
【０００４】
【課題を解決するための手段】
本発明は、上述の課題を解決すべくなされたもので、請求項１に記載の発明は、クレジットカード使用者からクレジットカード番号情報および前記クレジットカード使用者の属性情報を受信する受信手段と、前記クレジットカード番号情報および前記属性情報に共通する識別番号を発番する識別番号発番手段と、前記属性情報と前記識別番号を対応付けて記録するデータベースと、前記識別番号と前記クレジットカード番号情報とを第１の鍵で暗号化して第１の暗号化情報を作成する第１の暗号化手段と、前記識別番号と前記属性情報とを第２の鍵で暗号化して第２の暗号化情報を作成する第２の暗号化手段と、前記第１の暗号化情報及び第２の暗号化情報を別々に記憶する記憶手段と、前記第１の暗号化情報および前記第２の暗号化情報をクレジットカード会社のサーバに対して送信する審査情報送信手段と、これに応じて、暗号化された前記識別番号と審査結果情報とを、前記クレジットカード会社のサーバから受信して第３の鍵で復号化する復号化手段と、前記審査結果情報を前記識別番号に関連付けて前記データベースに記録する審査結果情報記録手段とを備える事を特徴とするクレジットカード情報管理装置である。
【０００５】
また、請求項２に記載の発明は、クレジットカード使用者の属性情報と識別番号を記録するデータベースを備えたクレジットカード情報管理装置におけるクレジットカード情報管理方法であって、前記クレジットカード使用者からクレジットカード番号情報および前記クレジットカード使用者の属性情報を受信する受信過程と、前記クレジットカード番号情報および前記属性情報に共通する識別番号を発番する識別番号発番過程と、前記識別番号と前記クレジットカード番号情報とを第１の鍵で暗号化して第１の暗号化情報を作成する第１の暗号化過程と、
前記識別番号と前記属性情報とを第２の鍵で暗号化して第２の暗号化情報を作成する第２の暗号化過程と、前記第１の暗号化情報及び第２の暗号化情報を別々に記憶する記憶過程と、前記第１の暗号化情報および前記第２の暗号化情報をクレジットカード会社のサーバに対して送信する審査情報送信過程と、これに応じて、暗号化された前記識別番号と審査結果情報とを、前記クレジットカード会社のサーバから受信して第３の鍵で復号化する復号化過程と、前記審査結果情報を前記識別番号に関連付けて前記データベースに記録する審査結果情報記録過程とを備える事を特徴とするクレジットカード情報管理方法である。
【０００６】
また、請求項３に記載の発明は、クレジットカード使用者の属性情報と識別番号を記録するデータベースを備えたクレジットカード情報管理装置のコンピュータに実行させるプログラムであって、前記クレジットカード使用者からクレジットカード番号情報および前記クレジットカード使用者の属性情報を受信する受信過程と、前記クレジットカード番号情報および前記属性情報に共通する識別番号を発番する識別番号発番過程と、前記識別番号と前記クレジットカード番号情報とを第１の鍵で暗号化して第１の暗号化情報を作成する第１の暗号化過程と、前記識別番号と前記属性情報とを第２の鍵で暗号化して第２の暗号化情報を作成する第２の暗号化過程と、前記第１の暗号化情報及び第２の暗号化情報を別々に記憶する記憶過程と、前記第１の暗号化情報および前記第２の暗号化情報をクレジットカード会社のサーバに対して送信する審査情報送信過程と、これに応じて、暗号化された前記識別番号と審査結果情報とを、前記クレジットカード会社のサーバから受信して第３の鍵で復号化する復号化過程と、前記審査結果情報を前記識別番号に関連付けて前記データベースに記録する審査結果情報記録過程とをコンピュータに実行させるプログラムである。
【０００７】
また、請求項４に記載の発明は、識別番号とクレジットカード使用者のクレジットカード番号情報を第１の暗号で暗号化した第１の暗号化情報と、前記識別番号と前記クレジットカード使用者の属性情報を第２の暗号で暗号化した第２の暗号化情報をクレジットカード情報管理装置より受信する受信手段と、前記第１の暗号化情報と前記第２の暗号化情報を復号化する復号化手段と、復号化された前記クレジットカード番号情報と前記属性情報とに基づいて審査処理を行い、審査結果情報を生成する審査処理手段と、前記識別番号と前記審査結果情報を暗号化する暗号化手段と、前記暗号化手段により暗号化された前記識別番号と前記審査結果情報を前記クレジットカード情報管理装置に送信する送信手段とを備えることを特徴とするクレジットカード審査処理装置である。
【０００８】
【発明の実施の形態】
以下、本発明の一実施形態によるクレジットカード情報管理装置を図面を参照して説明する。
図１は、この発明の一実施形態によるクレジットカード情報管理装置を用いた会員サービス申込受付システムの構成を示すブロック図である。
この図において、符号１はレンタルサーバであり、クレジットカード情報管理装置の機能を内部に備えている。また、このレンタルサーバ１上においては、あるサービスを提供するサービス提供業者のＷｅｂページが構築されている。ここで、レンタルサーバ１は、Ｗｅｂページを構築するためのサーバ貸し出しサービスを行っているホスティングサービス業者によりサービス提供業者に貸し出されたものであり、サービス提供業者はレンタルサーバ１上へのＷｅｂページの構築や、その運用、維持管理をホスティングサービス業者に依頼している。
また、符号２はクレジットカード会社のクレジットカード審査処理装置であり、上記Ｗｅｂページで決済が行われた際にレンタルサーバ１に保持されるクレジットカード番号情報や属性情報を受信して、クレジットカードの審査を行い、その審査結果情報をレンタルサーバ１へ送信する。また、符号３は上記Ｗｅｂページで提供されるサービスに入会する入会申込者の端末である。
そして、レンタルサーバ１とクレジットカード会社のクレジットカード審査処理装置２とで会員サービス申込受付システムが構成され、インターネットなどの通信ネットワークを介して入会申込者が端末３からレンタルサーバ１上で構築されているＷｅｂページへアクセスする。
【０００９】
また、図１のレンタルサーバ１において、符号１１は送受信部（受信手段、審査情報送信手段）であり、端末３やクレジットカード会社のクレジットカード審査処理装置２とで各種情報の送受信を行う。また、１２は識別番号発番部（識別番号発番手段）であり、端末からのクレジットカード番号と属性情報の受信に対応してキー番号（識別番号）を発番する。また１３は情報記録部であり、送受信部１１が受信した情報や識別番号発番部１２が発番したキー番号を会員管理データベースに記録する。また情報記録部１３は審査結果情報記録手段を備えている。
また１４は暗号化・復号化処理部（第１の暗号化手段、第２の暗号化手段、復号化手段）であり、公開鍵暗号方式を利用してクレジットカード番号や属性情報をそれぞれ別々に暗号化し、またはクレジットカード審査処理装置２から送信を受けた審査結果情報の復号化を行う。また、１５は会員管理データベース（データベース）であり、上述のキー番号や属性情報や、入会申込者の審査結果情報を保持している。ここで審査結果情報とは、クレジットカード会社による審査が通ったか通らなかったかを示す情報であり、未審査、審査ＯＫ、審査ＮＧの三段階のうちいずれかの段階を表す値を保持している。
【００１０】
また、図１のクレジットカード会社のクレジットカード審査処理装置２において、符号２１は送受信部（送信手段、受信手段）であり、レンタルサーバ１と各種情報の送受信を行う。また符合２２は暗号化・復号化処理部（暗号化手段、復号化手段）であり、公開鍵暗号方式を利用してクレジットカード番号や属性情報をそれぞれ別々に復号化し、また、レンタルサーバ１に送信する審査結果情報を暗号化する。また２３は審査処理部（審査処理手段）であり、レンタルサーバ１から受信した入会申込者のクレジットカード番号と属性情報から、入会申込者の入会の審査を行う。
尚、公開鍵暗号方式とは、公開鍵と秘密鍵を用いて各種情報を暗号化・復号化する技術であり、例えば、ＡからＢにａ情報を送信する場合には、ＡがＢにＢの公開鍵で暗号化したａ情報を送信し、ＢがＢの秘密鍵でａ情報を復号化する。逆にＢからＡにａ情報を暗号化して送信する場合には、ＢがＡにＡの公開鍵で暗号化したａ情報を送信し、ＡがＡの秘密鍵でａ情報を復号化する。
【００１１】
尚、図１に示した各処理部は、専用のハードウェアにより実現されるものであってもよく、また、各処理部はメモリおよびＣＰＵ（中央演算装置）により構成され、各処理部の機能を実現する為のプログラムをメモリにロードして実行することによりその機能を実現させるものであってもよい。
また、上記メモリは、ハードディスク装置や光磁気ディスク装置、フラッシュメモリ等の不揮発性のメモリや、ＣＤ−ＲＯＭ等の読み出しのみが可能な記録媒体、ＲＡＭ（Ｒａｎｄｏｍ　Ａｃｃｅｓｓ　Ｍｅｍｏｒｙ）のような揮発性のメモリ、あるいはこれらの組み合わせによるコンピュータ読み取り、書き込み可能な記録媒体より構成されるものとする。
【００１２】
次に、上述した会員サービス申込受付システムの動作を図２を参照して説明する。図２はクレジットカード情報管理装置の機能を備えるレンタルサーバ１を用いた会員サービス申込受付システムの処理概要を示す図である。
この図より、まず、入会申込者は端末３よりレンタルサーバ１へアクセスしＷｅｂページを閲覧する。そして入会申込者はサービスに加入するために、端末３にクレジットカード番号と入会申込者の属性情報（氏名、住所、電話番号など）を入力する。そして、端末３がレンタルサーバ１にクレジットカード番号と属性情報を送信し、レンタルサーバ１の送受信部１１が入会申込者のカード番号と属性情報を受信する（ステップＳ１）。尚、端末３からのレンタルサーバ１へのクレジットカード番号と属性情報の送信はＳＳＬ（Ｓｅｃｕｒｅ　Ｓｏｃｋｅｔ　Ｌａｙｅｒ）で暗号化されている。
【００１３】
次に、レンタルサーバ１において識別番号発番部１２が、送受信部１１でのクレジットカード番号と属性情報の受信に対応して、キー番号（識別番号）を発番する（ステップＳ２）。そして、キー番号が発番されると情報記録部１３が送受信部１１の受信した属性情報と識別番号発番部１２の発番したキー番号を審査結果情報と共に会員管理データベース１５に記録する（ステップＳ３）。尚、情報記録部１３が審査結果情報を会員管理データベース１５に記録する際には、審査結果情報を未会員として記録する。
【００１４】
また、レンタルサーバ１の暗号化・復号化処理部１４は送受信部１１からクレジットカード番号と属性情報の転送を受け、識別番号発番部１２が発番したキー番号と共に、クレジットカード番号と属性情報をそれぞれ別々に暗号化する。この時、暗号化・復号化処理部１４は、クレジットカード会社の２つの違う公開鍵によりクレジットカード番号と属性情報を別々に暗号化する。この暗号化においては、暗号化・復号化処理部１４はクレジットカード番号を公開鍵１で暗号化（ステップＳ４）し、また、属性情報を公開鍵２で暗号化（ステップＳ５）するものとする。そして、暗号化・復号化処理部１４は暗号化したクレジットカード番号と、暗号化した属性情報をそれぞれ別々に、会員管理データベース１５とは別の図示しない記憶部で記憶する（ステップＳ６）。
そして、次に、送受信部１１がレンタルサーバ１の暗号化・復号化処理部１４が暗号化したクレジットカード番号と属性情報をクレジットカード会社のクレジットカード審査処理装置２に送信する（ステップＳ７）。
【００１５】
次に、クレジットカード会社のクレジットカード審査処理装置２において送受信部２１は、レンタルサーバ１の送受信部１１が別々に送信したクレジットカード番号と属性情報を受信する（ステップＳ８）。そして、クレジットカード審査処理装置２の暗号化・復号化処理部２２が、公開鍵１に対応する秘密鍵１でクレジットカード番号を復号化し（ステップＳ９）、また、公開鍵２に対応する秘密鍵１で属性情報を復号化（ステップＳ１０）する。
そして、クレジットカード会社のクレジットカード審査処理装置２の送受信部２１が受信したクレジットカード番号と属性情報が復号化されたので、それぞれ共に暗号化されているキー番号によって、入会申込者のクレジットカード番号と属性情報の対を特定する（ステップＳ１１）。そして、クレジットカード審査処理装置２の審査処理部２３が、入会の審査を行い（ステップＳ１２）、審査がＯＫかＮＧかを決定する。そして審査処理部２３は審査ＯＫもしくは審査ＮＧの情報を保持する審査結果情報を生成する（ステップＳ１３）。
【００１６】
次に、クレジットカード審査処理装置２の暗号化・復号化処理部２２が、審査処理部２３の生成した審査結果情報と入会申込者のクレジットカード番号と属性情報の対を特定したキー番号を、レンタルサーバ１の公開鍵３で暗号化する（ステップＳ１４）。これを審査結果情報と呼ぶ。そして、送受信部２１がその暗号化された審査結果情報をレンタルサーバ１に送信する（ステップＳ１５）。
【００１７】
そして、レンタルサーバ１の送受信部１１が審査結果情報を受信し、暗号化・復号化処理部１４が公開鍵３に対応する秘密鍵３で審査結果情報を復号化する（ステップＳ１６）。そして、情報記録部１３は、審査結果情報から審査ＯＫもしくは審査ＮＧの確認と、キー番号を確認し、そのキー番号と対になって会員管理データベース１５に記録されている審査結果情報を審査ＯＫもしくは審査ＮＧと更新する（ステップＳ１７）。
そして、例えば審査結果情報が審査ＯＫとなった場合には、これが、入会申込者に対するサービス開始の判断情報となって、サービスが開始される。
【００１８】
尚、上述の実施の形態において公開鍵１及び公開鍵２で暗号化したクレジットカード番号と属性情報は、クレジットカード審査処理装置２に送信した後、レンタルサーバ１内の記憶部でクレジットカード番号と属性情報を別々のディレクトリで管理するなどして保持しているが、クレジットカード番号と属性情報の対応が分からないように保持している。
【００１９】
また、図１において各種処理を行う処理部の機能を実現する為のプログラムをコンピュータ読み取り可能な記録媒体に記録して、この記録媒体に記録されたプログラムをコンピュータシステムに読み込ませ、実行することにより各処理を行っても良い。なお、ここでいう「コンピュータシステム」とは、ＯＳや周辺機器等のハードウェアを含むものとする。
また、「コンピュータシステム」とは、ＷＷＷシステムを利用している場合であれば、ホームページ提供環境（あるいは表示環境）も含むものとする。
【００２０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発メモリ（ＲＡＭ）のように、一定時間プログラムを保持しているものも含むものとする。
【００２１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等の通信ネットワークや電話回線等の通信回線のように情報を伝送する機能を有する媒体のことをいう。
また、上記プログラムは、前述した機能の一部を実現する為のものであっても良い。さらに、前述した機能をコンピュータシステムに既に記録されているプログラムとの組み合わせで実現できるもの、いわゆる差分ファイル（差分プログラム）であっても良い。
以上、この発明の実施形態について図面を参照して詳述してきたが、具体的な構成はこの実施形態に限られるものではなく、この発明の要旨を逸脱しない範囲の設計等も含まれる。
【００２２】
【発明の効果】
以上説明したように、請求項１、２、３の発明によれば、識別番号発番手段がクレジットカード使用者から受信したクレジットカード番号情報および属性情報に共通する識別番号を発番し、審査情報送信手段が識別番号とクレジット番号情報を暗号化した第１の暗号化情報と、識別番号と属性情報を暗号化した第２の暗号化情報とを別々に記憶部に記憶してから、クレジットカード会社のサーバに対して送信する。そして、これに応じて受信した、暗号化された識別番号と審査結果情報とを復号化手段が復号化し、審査結果情報記録手段がその審査結果情報を識別番号に関連付けてデータベースに記録する。
これにより、別々の暗号により暗号化したクレジットカード番号情報と属性情報を別々に送信または記憶部で保持するので、安全性が高い。また、識別番号を用いて属性情報と審査結果情報を対応付けすることができるので、属性情報に対応付くクレジットカード番号情報をデータベースへ記録しておく必要が無く安全性が高い。
【００２３】
また、請求項４の発明によれば、受信手段が第１の暗号化情報と、第２の暗号化情報を受信し、復号化手段が第１の暗号化情報と第２の暗号化情報を復号化する。そして、復号化手段が復号化した第１及び第２の暗号化情報より得られたクレジットカード番号情報と属性情報とに基づいて審査処理手段が審査処理を行い、審査結果情報を生成する。また暗号化手段が識別番号と審査結果情報とを暗号化して、送信手段が暗号化された前記識別番号と前記審査結果情報とを送信する。
これにより、クレジットカード番号をクレジットカード情報管理装置に送信しなくても識別番号でクレジットカードの使用者を特定し審査結果情報を伝える事ができるので、クレジットカード番号をやり取りする必要が無く安全性が高い。
【図面の簡単な説明】
【図１】この発明の一実施形態によるクレジットカード情報管理装置を用いた会員サービス申込受付システムの構成を示すブロック図である。
【図２】本実施形態による会員サービス申込受付システムの処理概要を示す図である。
【符号の説明】
１　レンタルサーバ
２　クレジットカード審査処理装置
３　端末
１１、２１　送受信部
１２　識別番号発番部
１３　情報記録部
１４、２２　暗号化・復号化処理部
１５　会員管理データベース
２３　審査処理部
【図１】
2004086599.tif 000003
【図２】
2004086599.tif 000004